(57)【要約】      （修正有）【課題】自転車走行時に着用した濡れた雨具を、簡便に出し入れできる自転車用雨具収納かごを提供する。【解決手段】自転車用かご内部５面を布・ビニール・アルミ箔で覆った自転車用雨具収納かご１に、蝶番３で開閉可能で閉塞性を確保するために鍵Ｋをかけられる構造をした蓋２を取り付けることで、自転車用カゴを雨具ないし手袋、ヘルメットなど盗難が危惧されるものの収納が出来るようにした。【選択図】図４
0003208271.tif 000002
【実用新案登録請求の範囲】
【考案の詳細な説明】
【技術分野】
【０００１】本考案は、自伝車に掲載される雨具等の前かご後ろカゴの収納かごに関する。
【背景技術】
【０００２】雨天時傘をさして走行している自転車を見かけるたびに、危険だと思い。以前自分自身がそうした行為をしていた者としてどうにかならないかと思った。突然の雨「傘を差して帰宅しよう」、「雨具・手袋の盗難が心配だから傘を差して行こう」など、安易に危険走行を選んで、交通事故の温床になっているのが現状です。突然の雨に備える、雨具・手袋・帽子・ヘルメット等を安全に保管できるケースが自転車にあれば、傘をさしての危険走行は減少し、ひいては交通事故の減少に繋がるものと考えた。【０００３】買い物を、２件・３件としたい時、１件目で購入した商品を、２件目での商品購入時に盗難を恐れて持ち運ぶ事例は多々ある、また、所持品の盗難を恐れ所持品を店内まで持ち歩く事例も多々ある、これは、安価な品物でも盗まれることは気分として腹立たしく嫌な思いをしたくないとの感情からの行為であると考える。そうした商品・所持品を安易に盗難から保護しうる自転車用収納可かごがあればこの課題の解決になるのではないか。【０００４】従来、自転車用雨具収納ケースには次のようなものがある。
【先行技術文献】
【特許文献】
【０００５】
【特許文献１】特開平８−２６８３６号公開公報「自転車用雨具」
【特許文献２】特開２００４−６７００７号公開公報「雨具等収納ケース付きカゴ」
【特許文献３】特開２０１１−１９５００１号公開公報「自転車・スクーター用、左右開閉雨具収納ケース」
【特許文献４】実用新案−３２００８０４号公開広報（Ｕ）
【０００６】自転車に雨具を巻き取る装置は、自転車と運転者が一体となり転倒時の危険が大きいため、道路交通法で禁止されているときく。【０００７】それぞれの提案に言えることだが、ヘルメット・帽子・手袋・雨具をいれるには、容量的に狭く、簡単に収納が叶うものではなかった。との課題を有していた。【０００８】それぞれのケースに言えることだが、安価に簡便に、単純にとの要請に応えるにはなお課題を残すものと考える。【０００９】構造が複雑で加工、装着が難解であるとの課題を残す。【００１０】ケースの堅牢性を増す工夫が、足りない課題を残す。
【考案の概要】
【考案が解決しようとする課題】
【００１１】本考案は、自転車に乗車する際に着用する雨具・ヘルメット・帽子・手袋、買い物途中商品を収納するカゴで、各自の自転車に装着されて有能なものである。
本考案は、自転車の走行時に使用した雨具、急な天候の変化でも対応できるように、雨具を安全に保管でき、かつ鍵がかかる自転車用雨具収納カゴの提供を目的とする。
雨具を安易に収納でき、盗難防止のための構成を施した自転車用雨具収納カゴの堤供を課題とするものである。
【課題を解決するための手段】
【００１２】前期課題を解決するため、本考案は以下の構成を備えた自転車用雨具収納カゴを提案する。【００１３】本考案は、自転車の前カゴ・後ろカゴ・サイドカゴに、カゴ内側５面に布ないしアルミ箔ビニール等を取り付け、カゴ内部と外部を目視的に遮断し、収納物を判然とさせないことを特長とする自転車用雨具収納カゴである。【００１４】自転車の前カゴ・後ろカゴ・サイドのカゴの上部に大きさとしてはカゴ上部面積より一回り大きな鉄板・ブリキ版・アルミ板等で蓋をし、蝶番を施し開閉可能とし、鍵を施して盗難防止を図る。【００１５】蓋本体の強度を増すため、ハニカム構造などを施した鉄板・ブリキ版・アルミ板等を用い、強度を増す。カゴ本体の強度を増すためカゴ自体を鉄板・ブリキ版・アルミ板等で製作する。【００１６】カゴの上部の内側４面に、鉄管・ブリキ管・アルミ管の棒を施しカゴの強度を増す構造とする。蓋に側面部を設け、内側４面に、鉄管・ブリキ管・アルミ管等を施し蓋の強度を増す構造とする。
【考案の効果】
【００１７】本考案は前記の構成であり、次の技術的効果がある。
（１）本考案の自転車用雨具収納カゴは、濡れた雨具をそのままの状態で折りたたみの手間もいらずにそのまま収納できる、また、突然の雨に備えて常時自転車に携帯する事ができ突然の雨に備えることができる。鍵付きなので安全に保管できる。
（２）本考案では、蓋・カゴ自体の強度を増すことで、盗難防止の効果を強めることができる。
（３）本考案では、容量が大きく雨具・ヘルメット・手袋・帽子等を安易に安全に収納できる。【００１８】（４）雨天時以外にも、買い物を複数に渡り行く場合、商品を持ち運ぶことなく自転車用雨具収納カゴに鍵をかけ、保管しておける利点もある。通常は蓋を開けた状態で買い物カゴとして使用すればよい。
【図面の簡単な説明】
【００１９】
【図１】図１は本考案に係る自転車用雨具収納ケースの実用例１であって、自転車用雨具収納カゴの上に、開閉式、鍵付き蓋、並びにカゴ内面に目張り用布または、アルミ箔・ビニール等を装着した状態の斜視図である。
【図２】図２は、自転車用雨具収納カゴの５面にたいし、布又はアルミ箔・ビニール等で目張りした状態の上面図である。
【図３】図３は、自転車用雨具収納カゴを側面から見た側面図である。
【図４】図４は、自転車本体に対して自転車用雨具収納カゴが、前カゴ・後ろカゴを取り付けた図で、側面書から見た、自転車本体の側面図である。
【図５】図５は、自転車用雨具収納カゴの断面をとらえた、断面図である。
【図６】図６は、買い物カゴを鉄管・ブリキ管。アルミ管等で補強し、蓋はハニカム構造等で補強した自転車用雨具収納カゴの断面図である。
【図７】図７は、自転車用雨具収納カゴ本体を鉄板・ブリキ缶・アルミ管等で強度した、自転車用雨具収納カゴの断面図である。
【考案を実地するための形態】
【００２０】本考案に係る自転車用雨具収納カゴを実施するための最良の形態を、説明する。
【実用例１】
【００２１】図１は、本考案に係る自転車用収納カゴの実用例１を示すものである。
図１に示す実用例１は、自転車に設置された買い物カゴまたは製造過程にある買い物カゴに、本考案の自転車用雨具収納カゴに蓋を装着し、この自転車用雨具収納カゴの蓋には、蝶番機能をもったものとし、開閉可能で、鍵を施し盗難防止をする機能を果たさせるすることを特徴としたものである。
【００２２】図１に示す実用例１は、蓋に鍵を掛ける構造とし、収納物を安易な盗難から回避させることを特徴とする自転車用雨具収納カゴである。
【００２３】図３で示す実用例１は、蝶番の機能を要した金具で、蓋の開閉が出きる構造とし、蓋を開いた状態であれば買い物カゴとしての機能を妨げないことを特徴とする。自転車用雨具収納カゴである。
【実用例２】
【００２４】図６で示す実用例２は、自転車用雨具収納カゴを、カゴ本体の製造時点から本考案を取り入れ制作する場合、カゴ本体の強度を増す構造とすべくカゴ上部に鉄、アルミ管、ブリキ管等を施すことを特徴とする自転車用雨具収納カゴである。
【実用例３】
【００２５】図６に示す実用例３は、自転車用雨具収納カゴを、カゴ本体の製造時点から本考案を取り入れ制作する場合、カゴ本体の強度を増す構造とすべく、カゴ本体を鉄版、強度をハニカム構造等で補強したアルミ版。強度をハニカム構造等で補強したブリキ板等で製作することを特徴とする自転車用雨具収納カゴである。図７はカゴ本体を鉄板・ブリキ板・アルミ版で制作された自転車用雨具収納カゴである。
【産業上のりよう可能性】
【００２６】自転車で使用する雨具類を、雨天時使用後、また、急な雨に備えて常時自転車本体に収納するための改善であるが、その他買い物途中の商品の安全保管、ヘルメット・帽子・手袋・など多岐にわたり安全に保管可能として利用できる。
【符号の説明】
【００２７】（１）    カゴ
（２）    蓋
（３）    蝶番
（４）    籠内面５面の目隠し
（５）    蓋を強化する鉄管・アルミ管・ブリキ管等
（６）    籠を強化するための鉄管・アルミ管・ブリキ管等
（７）    蓋自体をハニカム構造等で強化する
【図１】
0003208271.tif 000003
【図２】
0003208271.tif 000004
【図３】
0003208271.tif 000005
【図４】
0003208271.tif 000006
【図５】
0003208271.tif 000007
【図６】
0003208271.tif 000008
【図７】
0003208271.tif 000009
【手続補正書】
【提出日】平成28年6月10日(2016.6.10)
【手続補正２】
【補正対象書類名】実用新案登録請求の範囲
【補正対象項目名】全文
【補正方法】変更
【補正の内容】
【実用新案登録請求の範囲】
【請求項１】
自転車用買い物カゴに装着でき、蝶番等で開閉することが可能で、閉塞性を確保するため鍵をかけることが出来ることを特徴とした、自転車用買い物カゴを雨具収納容器にすることが出来る蓋。
【請求項２】
自転車用買い物カゴに装着でき、蝶番等で開閉することが可能で、閉塞性を確保するため鍵をかけることが出来ることを特徴とした、自転車用買い物カゴを雨具収納容器にすることが出来る蓋に、スチール版・スチール管等で蓋の強度を増すことを特徴とした雨具収納容器。
【請求項３】
自転車用買い物カゴに装着でき、蝶番等で開閉することが可能で、閉塞性を確保するため鍵をかけることが出来ることを特徴とした、自転車用買い物カゴを雨具収納容器にすることが出来る買い物カゴに、スチール版・スチール管等で強度を増すことを特徴とする自転車用雨具収納器。
【請求項４】
請求項１から請求項３の自転車用雨具収納容器は、自転車前部、自転車後部に装着できることを特徴とする。
【手続補正書】
【提出日】平成28年10月13日(2016.10.13)
【手続補正１】
【補正対象書類名】実用新案登録請求の範囲
【補正対象項目名】全文
【補正方法】変更
【補正の内容】
【実用新案登録請求の範囲】
【請求項１】
自転車用かご内部５面を布・ビニール・アルミ箔でおおい、収納物を外部から見ることが出来ないようにしたことを特徴とする自転車用雨具収納かご。
【請求項２】
自転車用かごに、蝶番で開閉可能とした蓋を設け、前記蓋に閉塞用の鍵を備えたことを特徴とする自転車用雨具収納かご。
【請求項３】
前記蓋は鉄板やアルミ板やブリキ板で、ハニカム構造である請求項２記載の自転車用雨具収納かご。
【請求項４】
前記自転車用かごは、かごの上部の内側４面に、鉄管やブリキ管やアルミ管の棒を施して補強したことを特徴とする請求項１〜請求項３のいずれかに記載の、自転車用雨具収納かご。
【手続補正２】
【補正対象書類名】明細書
【補正対象項目名】全文
【補正方法】変更
【補正の内容】
【考案の詳細な説明】
【技術分野】
【０００１】本考案は、自伝車に掲載される雨具等を収納する前かご後ろかごの収納かごに関する。
【背景技術】
【０００２】雨天時傘をさして走行している自転車を見かけるたびに、危険だと思い、以前自分自身がそうした行為をしていた者としてどうにかならないかと思った。
突然の雨「傘を差して帰宅しよう」、「雨具・手袋の盗難が心配だから傘を差して行こう」など、安易に危険走行を選んで、交通事故の温床になっているのが現状です。
突然の雨に備える、雨具・手袋・帽子・ヘルメット等を安全に保管できるケースが自転車にあれば、傘をさしての危険走行は減少し、ひいては交通事故の減少に繋がるものと考えた。【０００３】買い物を、２件・３件としたい時、１件目で購入した商品を、２件目での商品購入時に盗難を恐れて持ち運ぶ事例は多々ある。
また、所持品の盗難を恐れ所持品を店内まで持ち歩く事例も多々ある。
これは、安価な品物でも盗まれることは気分として腹立たしく嫌な思いをしたくないとの感情からの行為であると考える。
そうした商品・所持品を安易に盗難から保護しうる自転車用収納かごがあればこの課題の解決になるのではないか。【０００４】従来、自転車用雨具収納ケースには次のようなものがある。
【先行技術文献】
【特許文献】
【０００５】
【特許文献１】特開平８−２６８３６号公開公報「自転車用雨具」
【特許文献２】特開２００４−６７００７号公開公報「雨具等収納ケース付きかご」
【特許文献３】特開２０１１−１９５００１号公開公報「自転車・スクーター用、左右開閉雨具収納ケース」
【特許文献４】実用新案第３２００８０４号公開公報（Ｕ）
【０００６】自転車に雨具を巻き取る装置は、自転車と運転者が一体となり転倒時の危険が大きいため、道路交通法で禁止されているときく。【０００７】それぞれの提案に言えることだが、ヘルメット・帽子・手袋・雨具をいれるには、容量的に狭く、簡単に収納が叶うものではなかった。との課題を有していた。【０００８】それぞれのケースに言えることだが、安価に簡便に、単純にとの要請に応えるにはなお課題を残すものと考える。【０００９】構造が複雑で加工、装着が難解であるとの課題を残す。【００１０】ケースの堅牢性を増す工夫が、足りない課題を残す。
【考案の概要】
【考案が解決しようとする課題】
【００１１】本考案は、自転車に乗車する際に着用する雨具・ヘルメット・帽子・手袋、買い物途中  商品を収納するかごで、各自の自転車に装着されて有能なものである。
本考案は、自転車の走行時に使用した雨具、急な天候の変化でも対応できるように、雨具を安全に保管でき、かつ鍵がかかる自転車用雨具収納かごの提供を目的とする。
雨具を安易に収納でき、盗難防止のための構成を施した自転車用雨具収納かごの堤供を課題とするものである。
【課題を解決するための手段】
【００１２】前期課題を解決するため、本考案は以下の構成を備えた自転車用雨具収納かごを提案する。【００１３】本考案は、自転車の前かご・後ろかご・サイドかごに、かご内側５面に布ないしアルミ箔・ビニール等を取り付け、かご内部と外部を目視的に遮断し、収納物を判然とさせないことを特長とする自転車用雨具収納かごである。【００１４】自転車の前かご・後ろかご・サイドのかごの上部に大きさとしてはかご上部面積より一回り大きな鉄板・ブリキ板・アルミ板等で蓋をし、蝶番を施し開閉可能とし、鍵を施して盗難防止を図る。【００１５】蓋本体の強度を増すため、ハニカム構造などを施した鉄板・ブリキ板・アルミ板等を用い、強度を増す。
かご本体の強度を増すためかご自体を鉄板・ブリキ板・アルミ板等で製作する。【００１６】かごの上部の内側４面に、鉄管・ブリキ管・アルミ管の棒を施し、かごの強度を増す構造とする。
蓋に側面部を設け、内側４面に、鉄管・ブリキ管・アルミ管等を施し蓋の強度を増す構造とする。
【考案の効果】
【００１７】本考案は前記の構成であり、次の技術的効果がある。
（１）本考案の自転車用雨具収納かごは、濡れた雨具をそのままの状態で折りたたみの手間もいらずにそのまま収納できる、また、突然の雨に備えて常時自転車に携帯する
事ができ突然の雨に備えることができる。鍵付きなので安全に保管できる。
（２）本考案では、蓋・かご自体の強度を増すことで、盗難防止の効果を強めることができる。
（３）本考案では、容量が大きく雨具・ヘルメット・手袋・帽子等を安易に安全に収納できる。【００１８】（４）雨天時以外にも、買い物を複数に渡り行く場合、商品を持ち運ぶことなく自転車用雨具収納かごに鍵をかけ、保管しておける利点もある。通常は蓋を開けた状態で買い物かごとして使用すればよい。
【図面の簡単な説明】
【００１９】
【図１】図１は本考案に係る自転車用雨具収納ケースの実施例１であって、自転車用雨具収納かごの上に、開閉式、鍵付き蓋、並びにかご内面に目張り用布または、アルミ箔・ビニール等を装着した状態の斜視図である。
【図２】図２は、自転車用雨具収納かごの５面にたいし、布又はアルミ箔・ビニール等で目張りした状態の上面図である。
【図３】図３は、自転車用雨具収納かごを側面から見た側面図である。
【図４】図４は、自転車本体に対して自転車用雨具収納かごが、前かご・後ろかごを取り付けた図で、側面書から見た、自転車本体の側面図である。
【図５】図５は、自転車用雨具収納かごの断面をとらえた、断面図である。
【図６】図６は、買い物かごを鉄管・ブリキ管・アルミ管等で補強し、蓋はハニカム構造等で補強した自転車用雨具収納かごの断面図である。
【図７】図７は、自転車用雨具収納かご本体を鉄板・ブリキ管・アルミ管等で補強した、自転車用雨具収納かごの断面図である。
【考案を実施するための形態】
【００２０】本考案に係る自転車用雨具収納かごを実施するための最良の形態を、説明する。
【実施例１】
【００２１】図１は、本考案に係る自転車用収納かごの実施例１を示すものである。
図１に示す実施例１は、自転車に設置された買い物かごまたは製造過程にある買い物かごに、本考案の自転車用雨具収納かごに蓋を装着し、この自転車用雨具収納かごの蓋には、蝶番機能をもったものとし、開閉可能で、鍵を施し盗難防止をする機能を果たさせることを特徴としたものである。【００２２】図１に示す実施例１は、蓋に鍵を掛ける構造とし、収納物を安易な盗難から回避させることを特徴とする自転車用雨具収納かごである。【００２３】図３で示す実施例１は、蝶番の機能を要した金具で、蓋の開閉が出きる構造とし、蓋を開いた状態であれば買い物かごとしての機能を妨げないことを特徴とする。自転車用雨具収納かごである。
【実施例２】
【００２４】図６で示す実施例２は、自転車用雨具収納かごを、かご本体の製造時点から本考案を取り入れ制作する場合、かご本体の強度を増す構造とすべくかご上部に鉄、アルミ管、ブリキ管等を施すことを特徴とする自転車用雨具収納かごである。
【実施例３】
【００２５】図６に示す実施例３は、自転車用雨具収納かごを、かご本体の製造時点から本考案を取り入れ制作する場合、かご本体の強度を増す構造とすべく、がご本体を鉄板、強度をハニカム構造等で補強したアルミ板、強度をハニカム構造等で補強したブリキ板等で製作することを特徴とする自転車用雨具収納かごである。図７はかご本体を鉄板・ブリキ板・アルミ板で制作された自転車用雨具収納かごである。
【産業上の利用可能性】
【００２６】自転車で使用する雨具類を、雨天時使用後、また、急な雨に備えて常時自転車本体に収納するための改善であるが、その他買い物途中の商品の安全保管、ヘルメット・帽子・手袋・など多岐にわたり安全に保管可能として利用できる。
【符号の説明】
【００２７】（１）      かご
（２）      蓋
（３）      蝶番
（４）      かご内面５面の目隠し
（５）      蓋を強化する鉄管・アルミ管・ブリキ管等
（６）      かごを強化するための鉄管・アルミ管・ブリキ管等
（７）      蓋自体をハニカム構造等で強化する
（８）      かごを強化するための鉄板・ブリキ板・アルミ板等
（ＢＦ）    自転車のハンドルアーム
（Ｋ）      鍵